(57)【要約】【課題】部材断面のスリム化を図ることのできる耐火木質部材を提供する。【解決手段】荷重を支持する木質材料からなる芯材１０を備えた耐火性を有する木質部材１００であって、芯材１０の断面の形状は多角形状であり、この多角形状の角部１４は面取りされており、この面取り寸法は１０〜５０ｍｍの範囲内にあるようにする。【選択図】図１
2018021407.tif 000002
【特許請求の範囲】
【請求項１】
荷重を支持する木質材料からなる芯材を備えた耐火性を有する木質部材であって、
芯材の断面の形状は多角形状であり、この多角形状の角部は面取りされており、この面取り寸法は１０〜５０ｍｍの範囲内にあることを特徴とする耐火木質部材。
【請求項２】
面取り寸法が２０〜５０ｍｍの範囲内にあることを特徴とする請求項１に記載の耐火木質部材。
【請求項３】
芯材の角部の面取りされた部分に、熱を反射する反射体が設けられていることを特徴とする請求項１または２に記載の耐火木質部材。
【請求項４】
芯材の外側に設けられる燃え止まり層または仕上げ材をさらに備えることを特徴とする請求項１〜３のいずれか一つに記載の耐火木質部材。
【請求項５】
芯材の外側に設けられる燃え止まり層と、この燃え止まり層の外側に設けられる仕上げ材とをさらに備えることを特徴とする請求項１〜３のいずれか一つに記載の耐火木質部材。
【請求項６】
芯材の角部の面取りされた部分と、その外側に設けられる燃え止まり層または仕上げ層との間に中空部が形成されており、この中空部には断熱材および吸熱材の少なくとも一方が設けられていることを特徴とする請求項４または５に記載の耐火木質部材。
【発明の詳細な説明】
【技術分野】
【０００１】
本発明は、柱や梁などの建築構造部材として使用するのに好適な耐火木質部材に関し、特に、部材断面における隅角部の耐火性能を向上した耐火木質部材に関するものである。
【背景技術】
【０００２】
従来、木質材料からなる木質柱や木質梁で構造物を構築する場合、木質材料は火災に弱いことから、必要に応じて木質材料を断熱材等で被覆して火災加熱による温度上昇を抑制する対策が行われている。石膏ボード等の断熱材で表層を被覆した四角形断面の木質柱や木質梁などの耐火木質部材が火災加熱を受けると、表層の断熱材を通じた熱伝導によって内側の木質部分が高温になる。
【０００３】
特に、図７に示すように、荷重支持部である木質の芯材１を石膏ボード２で被覆した耐火木質部材においては、火災による周囲からの加熱Ｆによって、（１）の四角形断面の木質柱にあっては４か所の隅角部３、（２）の床４の下に設けた四角形断面の木質梁にあってはその下端の２か所の隅角部３に対する入熱量が側面部５（に対する単位面積当たりの入熱量）に比べて大きく、側面部５よりも高温になる。これらの隅角部３は断面視で直角２方向からの加熱を受け温度上昇しやすい部分となるので、隅角部３の熱劣化が木質部材の荷重支持性能などの耐火性能における弱点部となる。すなわち、隅角部３が側面部５よりも早く木材の着火温度を超えて燃焼を開始すると、未だ着火温度に至っていない内部や側面部５に延焼し、炭化・灰化による部材断面の欠損を招き、部材耐力が低下することによって構造物を崩壊に至らしめるおそれがある。
【０００４】
これに対し、隅角部の耐火性能を確保するために、様々な工夫を施した耐火木質部材が知られている（例えば、特許文献１〜４を参照）。
【先行技術文献】
【特許文献】
【０００５】
【特許文献１】特開２０１２−１３６９３９号公報
【特許文献２】特許第４８７１６６０号公報
【特許文献３】特開２０１５−１２９４３１号公報
【特許文献４】特開２０１５−０６１９６９号公報
【発明の概要】
【発明が解決しようとする課題】
【０００６】
しかしながら、上記の従来の構造では、隅角部の耐火性能を高めるために当該部分に耐火性能が高い材料を特別に使ったり、隅角部に必要な耐火被覆の厚みで部材全体を覆ってしまうことで被覆層が厚くなったりしていた。そのため、耐火木質部材の製造方法が複雑になったり、被覆層が厚くなることで、コストが上がり、部材断面も大きくなるといった問題があった。
【０００７】
このため、従来と同等の構造性能でありながら、部材断面のスリム化を図ることのできる耐火木質部材の開発が求められていた。
【０００８】
本発明は、上記に鑑みてなされたものであって、部材断面のスリム化を図ることのできる耐火木質部材を提供することを目的とする。
【課題を解決するための手段】
【０００９】
上記した課題を解決し、目的を達成するために、本発明に係る耐火木質部材は、荷重を支持する木質材料からなる芯材を備えた耐火性を有する木質部材であって、芯材の断面の形状は多角形状であり、この多角形状の角部は面取りされており、この面取り寸法は１０〜５０ｍｍの範囲内にあることを特徴とする。
【００１０】
また、本発明に係る他の耐火木質部材は、上述した発明において、面取り寸法が２０〜５０ｍｍの範囲内にあることを特徴とする。
【００１１】
また、本発明に係る他の耐火木質部材は、上述した発明において、芯材の角部の面取りされた部分に、熱を反射する反射体が設けられていることを特徴とする。
【００１２】
また、本発明に係る他の耐火木質部材は、上述した発明において、芯材の外側に設けられる燃え止まり層または仕上げ材をさらに備えることを特徴とする。
【００１３】
また、本発明に係る他の耐火木質部材は、上述した発明において、芯材の外側に設けられる燃え止まり層と、この燃え止まり層の外側に設けられる仕上げ材とをさらに備えることを特徴とする。
【００１４】
また、本発明に係る他の耐火木質部材は、上述した発明において、芯材の角部の面取りされた部分と、その外側に設けられる燃え止まり層または仕上げ層との間に中空部が形成されており、この中空部には断熱材および吸熱材の少なくとも一方が設けられていることを特徴とする。
【発明の効果】
【００１５】
本発明に係る耐火木質部材によれば、荷重を支持する木質材料からなる芯材を備えた耐火性を有する木質部材であって、芯材の断面の形状は多角形状であり、この多角形状の角部は面取りされており、この面取り寸法は１０〜５０ｍｍの範囲内にあるので、耐火上弱点となる角部の温度上昇を抑制し、角部の耐火性能を著しく向上することができる。したがって、部材を細くしても従来と同等以上の構造性能を確保でき、部材断面のスリム化と低コスト化を図ることができるという効果を奏する。また、この耐火木質部材を室内の柱や梁等に用いることで、室内空間の開放性が高まり、室内を有効活用することが可能となる。
【００１６】
また、本発明に係る他の耐火木質部材によれば、面取り寸法が２０〜５０ｍｍの範囲内にあるので、耐火上弱点となる角部の温度上昇をより確実に抑制し、角部の耐火性能をより一層向上することができるという効果を奏する。
【００１７】
また、本発明に係る他の耐火木質部材によれば、芯材の角部の面取りされた部分に、熱を反射する反射体が設けられているので、面取りされた部分を介しての芯材の温度上昇を効果的に抑制することができるという効果を奏する。
【００１８】
また、本発明に係る他の耐火木質部材によれば、芯材の外側に設けられる燃え止まり層または仕上げ材をさらに備えるので、燃え止まり層によって、火災による芯材への熱の伝達を抑制し、芯材の炭化や燃焼を防ぐことができるという効果を奏する。また、仕上げ材によって、芯材の外側に木質感を付与することができるという効果を奏する。
【００１９】
また、本発明に係る他の耐火木質部材によれば、芯材の外側に設けられる燃え止まり層と、この燃え止まり層の外側に設けられる仕上げ材をさらに備えるので、燃え止まり層によって、火災による芯材への熱の伝達を抑制し、芯材の炭化や燃焼を防ぐとともに、仕上げ材によって、芯材の外側に木質感を付与することができるという効果を奏する。
【００２０】
また、本発明に係る他の耐火木質部材によれば、芯材の角部の面取りされた部分と、その外側に設けられる燃え止まり層または仕上げ層との間に中空部が形成されており、この中空部には断熱材および吸熱材の少なくとも一方が設けられているので、中空部を介しての放射・対流熱伝達による芯材の温度上昇を効果的に抑制することができるという効果を奏する。
【図面の簡単な説明】
【００２１】
【図１】図１（１）は、本発明に係る耐火木質部材の実施の形態を示す断面図、（２）は（１）の隅角部拡大図、（３）は本発明の比較例を示す断面図、（４）は（３）の隅角部拡大図である。
【図２】図２は、本発明の作用効果を検証するために行った解析モデルの概要図である。
【図３】図３は、芯材隅角部温度の経時変化（面取り中空部の反射体なし）を示す図である。
【図４】図４は、芯材隅角部温度の経時変化（面取り中空部の反射体あり）を示す図である。
【図５】図５は、芯材表面（隅角部〜側面部線対称位置）の温度分布（面取り中空部の反射体なし）を示す図であり、（１）は加熱開始後３０分時、（２）は６０分時である。
【図６】図６は、芯材表面（隅角部〜側面部線対称位置）の温度分布（面取り中空部の反射体あり）を示す図であり、（１）は加熱開始後３０分時、（２）は６０分時である。
【図７】図７は、従来の火災加熱を受ける耐火木質部材の一例であり、（１）は木質柱の水平断面図、（２）は木質梁の鉛直断面図である。
【発明を実施するための形態】
【００２２】
以下に、本発明に係る耐火木質部材の実施の形態について、木質柱の場合を例にとり図面に基づいて詳細に説明する。なお、この実施の形態によりこの発明が限定されるものではない。
【００２３】
図１（１）および（２）に示すように、本実施の形態に係る耐火木質部材１００は、荷重を支持する木質材料からなる芯材１０と、芯材１０の外側に設けられる燃え止まり層１２とを備える木質柱である。芯材１０の断面の形状は正四角形状（多角形状）であり、この正四角形状の隅角部１４（角部）は面取りされている。以下の説明では、この面取りされた部分を面取り部１６と呼ぶことにする。
【００２４】
面取り部１６の面取り寸法は図２に示した長さＬであり、面取り角度は４５°である。すなわち本実施の形態の面取り部１６の断面形状は、一辺の長さＬが等しい直角二等辺三角形であり、その斜辺は芯材１０の表面を構成する。面取り寸法Ｌは、隅角部１４の温度上昇を抑制するという本発明の目的を達成するために、１０〜５０ｍｍの範囲内に設定することが好ましく、温度上昇をより確実に抑制するという観点から２０〜５０ｍｍの範囲内に設定するのがより好ましい。この面取り部１６は、例えば芯材１０断面の角を削って面を作ることによって形成することができる。
【００２５】
芯材１０は、荷重を支持する集成材（木質材料）からなる。芯材１０としては、例えばスギやカラマツ等からなる一般的な集成材を用いて構成することができる。芯材１０の太さ（対辺の距離）は用途に応じて適宜調整可能であるが、例えば４５０ｍｍ程度とすることができる。
【００２６】
燃え止まり層１２は、耐火性を有する被覆層であり、例えば吸熱性および／または断熱性を有する無機質材料、燃えにくい不燃性の材料、あるいは、熱を受けると発泡して著しく厚みを増し、断熱性を発現する耐火シートや耐火フィルムなどの材料により構成することができる。この燃え止まり層１２は火災時において、隣接する内側の芯材１０への熱の伝達を防止し、芯材１０を炭化や燃焼させない機能を持っており、芯材１０への熱伝導を抑制する作用を発揮する。燃え止まり層１２を無機質材料で構成する場合には、例えば強化石膏ボード、石膏ボード、ケイカル板（ケイ酸カルシウム板）等のボード状の材料を用いることができる。また、その厚さは、用途に応じて適宜調整可能である。厚くすると、熱伝導を抑制する効果は向上する。これらのボードは、重ねて所定の厚さにしてもよい。ここで、強化石膏ボード、石膏ボード、ケイカル板（ケイ酸カルシウム板）等の材料は、極めて安価に入手できるとともに、高い断熱性と吸熱性とを有することから、燃え止まり層１２として好適である。また、燃え止まり層１２を不燃性の材料により構成する場合には、例えば木材にホウ酸等の薬剤を含浸させて不燃処理した不燃木材を用いることができる。燃え止まり層１２の厚さは用途に応じて適宜調整可能であるが、例えば１５ｍｍ〜４５ｍｍ程度とするのが好ましく、３０ｍｍ程度とするのがより好ましい。また、燃え止まり層１２を上記の耐火シートや耐火フィルムなどの材料で構成する場合には、その厚さは用途に応じて適宜調整可能であるが、例えば、１ｍｍ〜１２ｍｍ程度とするのが好ましく、１．５ｍｍ〜６ｍｍ程度とするのがより好ましい。
【００２７】
上記のように構成した耐火木質部材１００の作用について説明する。
図１（１）および（２）は本実施の形態を、図（３）および（４）は比較例を示している。比較例は芯材１０の隅角部１４に面取り部１６がない従来型の構造である。図（４）、（２）に示すように、比較例と本実施の形態の燃え止まり層１２の厚さをそれぞれｔ０、ｔｓとし、火災による周囲からの加熱Ｆによって隅角部１４（ハッチング部分）に流入する熱エネルギーをＥ０、Ｅｓ、隅角部１４（ハッチング部分）の温度をＴ０、Ｔｓとする。燃え止まり層１２の厚さｔ０＝ｔｓとすると、隅角部１４に流入する熱エネルギーＥ０＞Ｅｓ、温度Ｔ０＞Ｔｓとなる。このため、本実施の形態によれば、比較例に比べて隅角部１４の温度上昇を抑制することができる。
【００２８】
このように、耐火木質部材１００によれば、熱エネルギーが集中して耐火上弱点となる隅角部１４に面取り部１６を設けることで、隅角部１４の温度上昇を抑制し、その耐火性能を著しく向上することができる。したがって、部材を細くしても従来と同等以上の構造性能を確保でき、部材断面のスリム化と低コスト化を図ることができる。また、この耐火木質部材１００を室内の柱（あるいは梁）等に用いることで、室内空間の開放性が高まり、室内を有効活用することが可能となる。
【００２９】
ここで、面取り部１６を中空部（以下、面取り中空部ということがある。）として構成してもよい。すなわち、面取り中空部を、芯材１０の隅角部１４を面取りして形成された芯材１０の表面と、その外側に設けられる燃え止まり層１２との間に形成される直角二等辺三角形状の空間で形成してもよい。さらに、この面取り中空部に断熱材および吸熱材の少なくとも一方を充填してもよい。こうすることで、面取り中空部を介しての放射・対流熱伝達による芯材１０の温度上昇を効果的に抑制することができる。面取り中空部に充填する材料としては、例えば、燃え止まり層１２と同じ材料を用いてもよい。
【００３０】
また、図１（２）または図２に示すように、上記の面取り中空部に面する芯材１０の表面に、熱を反射する反射体１８を設けてもよい。こうすることで、面取りされた部分を介しての芯材１０の温度上昇を効果的に抑制することができる。なお、これと併せて面取り中空部に面する燃え止まり層１２の表面にも同様の反射体１８を設けてもよい。このようにすれば、温度上昇をより一層効果的に抑制することができる。
【００３１】
なお、上記の実施の形態において、燃え止まり層１２の外側に木質感を付与するための仕上げ材をさらに備えてもよい。あるいは、芯材１０の外側に、燃え止まり層１２の代わりに木質感を付与するための仕上げ材を設けてもよい。この仕上げ材によって耐火木質部材１００の外表面は木質感や木目調の外観を呈することが可能である。仕上げ材としては、木材や化粧用集成材等の木質材料であることがコスト節減のため望ましいが、クロス材等の建築用仕上げ材を用いてもよい。仕上げ材の厚さは、例えば３ｍｍ〜３０ｍｍ程度とすることが好ましいが、もちろん、これよりも薄くしても構わない。
【００３２】
また、上記の実施の形態において、燃え止まり層１２を、作用、機能の異なる２層以上の燃え止まり層で構成してもよい。このようにしても、上記と同様の作用効果を奏することが可能である。
【００３３】
（本発明の作用効果の検証）
次に、本発明の作用効果の検証について説明する。
面取りの範囲とその効果を定量的に把握するために、２次元熱伝導解析による検討を行った。解析モデルは、図２に示すように、２０ｃｍ角の芯材１０を総厚さ３０ｍｍの石膏ボードからなる断熱材（燃え止まり層１２）で被覆した木質柱である。解析パラメータは面取りの範囲および面取り中空部内面への熱的な反射体の有無である。面取りの範囲に関しては、面取り角度を４５°とし、平面形状が直角二等辺三角形となる面取り範囲（芯材１０上の二辺と切断面で囲まれる二等辺三角形）の二等辺の長さＬをパラメータとしてその水準を０，１０，２０，３０，４０，５０ｍｍとした。面取り中空部に関しては、熱的反射体（以下、反射体という）の設置の有無をパラメータとした。加熱は、部材表面がＩＯＳ８３４に規定される標準加熱温度時間曲線による１時間加熱を受ける条件とした。石膏ボードの含水率は６ｗｔ％、芯材の含水率は１０ｗｔ％として、１００℃における蒸発潜熱を考慮した。反射体の放射率は０．０４（アルミニウム箔の放射率相当）とした。また、中空部内における放射熱伝達および対流熱伝達を考慮した、なお、本解析では木質材料の着火温度を超えても木質材料が燃焼しないものと仮定した。
【００３４】
図３と図４に、面取りで生じた隅角部の温度の経時変化を示し、図５と図６に、加熱開始後３０分時および６０分時の芯材表面の温度分布を示す。
【００３５】
・面取りの有効性と有効範囲
図３〜図６に示されるように、四角形断面（面取り０ｍｍ）に対して面取りを行うことによって隅角部の温度上昇が抑制される。さらに、中空部の内表面に反射体を設置することも有効である。面取り範囲に関しては、その二等辺三角形の平面において、二等辺の長さＬを長くするほど面取り範囲が広くなるが、図５と図６から二等辺の長さＬを５０ｍｍ以上（面取り５０ｍｍ以上）にしても面取りの効果は大きく変化しないことが推定される。また、この傾向は部材断面の大小に大きく依存しないことも容易に推定される。一方、芯材の面取り範囲を大きくすると、構造的な部材断面性能（軸剛性、曲げ剛性）が低下することは否めない。これらを勘案すると、部材断面寸法の大小にかかわらず、面取りの一辺の長さＬは５０ｍｍ以下とすることが望ましい。
【００３６】
・面取り中空部（断熱材と芯材で囲まれる部分）の熱特性
図５（２）の６０分時の温度分布図にみられるように、本解析では、面取りによって生じた面の温度が隅角部よりも高くなった（図中、符号Ｇで示される部分）。図６（２）の６０分時の温度分布図ではこのような現象は認められないことから、放射・対流熱伝達による熱エネルギーの供給が断熱材を介しての供給を上回ったために生じた現象といえる。
【００３７】
・面取り中空部を介しての芯材温度上昇を抑制する対策
図５と図６の比較から、面取り中空部に面する芯材表面に反射体を設置することが有効であることが確認できる。本解析例では反射体を中空部に面する芯材表面のみに設置したが、これに併せて中空部に面する断熱材の表面にも設置するとさらに有効性が増す。
【００３８】
反射体を設置する他に、面取り中空部に断熱材や吸熱材を充填することも放射・対流熱伝達による温度上昇を抑制する手段として有効であるといえる。面取り中空部に充填する断熱材としては、例えば耐熱ロックウールなどの無機質繊維のバルクやフェルト、高耐熱性の生体溶解性繊維のバルクやフェルトなどが有効である。面取り中空部に充填する吸熱材料としては、例えば自由水（１００℃で蒸発する水分）や化学吸着水を多く含むモルタルや水和した石膏など、さらには、吸水した高吸水性ポリマーまたはハイドロゲルを不透湿シート（例えば、ＰＥＴアルミ紙）で密閉したパック材、酢酸ビニル系接着剤などの水性接着剤が有効である。
【００３９】
なお、上記の説明では、四角形断面の部材を例に取り上げたが、三角形断面や五角形以上の多角形断面の木質部材においても隅角部１４の面取りは有効であり、四角形断面の場合と同様の作用効果を奏することができる。すなわち、芯材１０表面を覆う燃え止まり層１２と芯材１０の間に空間を設けること、または当該空間に断熱材や吸熱材を充填することは、芯材隅角部１４の温度上昇を抑制するとともに耐火性能の向上に有効である。
【００４０】
以上説明したように、本発明に係る耐火木質部材によれば、荷重を支持する木質材料からなる芯材を備えた耐火性を有する木質部材であって、芯材の断面の形状は多角形状であり、この多角形状の角部は面取りされており、この面取り寸法は１０〜５０ｍｍの範囲内にあるので、耐火上弱点となる角部の温度上昇を抑制し、角部の耐火性能を著しく向上することができる。したがって、部材を細くしても従来と同等以上の構造性能を確保でき、部材断面のスリム化と低コスト化を図ることができる。また、この耐火木質部材を室内の柱や梁等に用いることで、室内空間の開放性が高まり、室内を有効活用することが可能となる。
【００４１】
また、本発明に係る他の耐火木質部材によれば、面取り寸法が２０〜５０ｍｍの範囲内にあるので、耐火上弱点となる角部の温度上昇をより確実に抑制し、角部の耐火性能をより一層向上することができる。
【００４２】
また、本発明に係る他の耐火木質部材によれば、芯材の角部の面取りされた部分に、熱を反射する反射体が設けられているので、面取りされた部分を介しての芯材の温度上昇を効果的に抑制することができる。
【００４３】
また、本発明に係る他の耐火木質部材によれば、芯材の外側に設けられる燃え止まり層または仕上げ材をさらに備えるので、燃え止まり層によって、火災による芯材への熱の伝達を抑制し、芯材の炭化や燃焼を防ぐことができるという効果を奏する。また、仕上げ材によって、芯材の外側に木質感を付与することができる。
【００４４】
また、本発明に係る他の耐火木質部材によれば、芯材の外側に設けられる燃え止まり層と、この燃え止まり層の外側に設けられる仕上げ材をさらに備えるので、燃え止まり層によって、火災による芯材への熱の伝達を抑制し、芯材の炭化や燃焼を防ぐとともに、仕上げ材によって、芯材の外側に木質感を付与することができる。
【００４５】
また、本発明に係る他の耐火木質部材によれば、芯材の角部の面取りされた部分と、その外側に設けられる燃え止まり層または仕上げ層との間に中空部が形成されており、この中空部には断熱材および吸熱材の少なくとも一方が設けられているので、中空部を介しての放射・対流熱伝達による芯材の温度上昇を効果的に抑制することができる。
【産業上の利用可能性】
【００４６】
以上のように、本発明に係る耐火木質部材は、建築構造部材として使用するのに有用であり、特に、部材断面のスリム化ひいては低コスト化を図るのに適している。
【符号の説明】
【００４７】
１０  芯材
１２  燃え止まり層
１４  隅角部（角部）
１６  面取り部
１８  反射体
Ｌ  面取り寸法
１００  耐火木質部材
【図１】
2018021407.tif 000003
【図２】
2018021407.tif 000004
【図３】
2018021407.tif 000005
【図４】
2018021407.tif 000006
【図５】
2018021407.tif 000007
【図６】
2018021407.tif 000008
【図７】
2018021407.tif 000009